(57)【特許請求の範囲】
【請求項１】
アイウェアのためのノーズピースであって、
受け入れ部分を含むノーズピースパッドと、
パッドサポートであって、
下向き凹状部分を有し、アイウェアの第１の部分への取り付け用に構成された第１の突っ張りと、
上向き凹状部分を有し、アイウェアの第２の部分への取り付け用に構成された第２の突っ張りと、
前記第１及び第２の突っ張りに取り付けられ、前記第１の突っ張りに取り付けられた上向き凹状部分を含み、前記ノーズピースパッドの前記受け入れ部分に接触する及び前記ノーズピースパッドの少なくとも一部分を包み込むように構成されたパッドサポート部材と、
を含むパッドサポートと、
を備えるノーズピース。
【請求項２】
請求項１に記載のノーズピースであって、
前記受け入れ部分は、前記パッドの表面に入り込む溝を含む、ノーズピース。
【請求項３】
請求項１に記載のノーズピースであって、
アイウェアのフレームの一部分を形成するノーズピース。
【請求項４】
請求項１に記載のノーズピースであって、
前記パッドサポートは、剛性材料で作成される、ノーズピース。
【請求項５】
請求項１に記載のノーズピースであって、
前記第１の突っ張りの末端は、前記パッドサポート部材の下位端に取り付けられる、ノーズピース。
【請求項６】
請求項１に記載のノーズピースであって、
前記受け入れ部分は、前記パッドの表面から半径方向内側の深さに入り込む、ノーズピース。
【請求項７】
請求項１に記載のノーズピースであって、
前記パッドサポートは、弾性材料で作成される、ノーズピース。
【請求項８】
請求項４に記載のノーズピースであって、
前記パッドサポートは、弾性材料で作成される、ノーズピース。
【請求項９】
請求項１に記載のノーズピースであって、
前記第１の突っ張りは、前記アイウェア面との接触点から前記パッドとの最初の接触点へ連続して上向きに伸びる、ノーズピース。
【請求項１０】
請求項９に記載のノーズピースであって、
前記第２の突っ張りは、前記アイウェア面との接触点から前記パッドとの最初の接触点へ連続して下向きに伸びる、ノーズピース。
【請求項１１】
アイウェアを透視位置に又は透視位置から動かす間におけるその他の物体との絡まり又は干渉を回避するように構成されたアイウェアであって、
光学透視ゾーンを含むアイウェア面と、
上端及び下端を有する弾性パッドと、
前記アイウェア面から前記パッドとの最初の接触点まで伸びる曲線状の下方突っ張りであって、前記下方突っ張りの最高地点と前記パッドの最下地点との間の垂直距離は、前記アイウェア面の背面と前記パッドとの間の水平距離におおよそ等しい又はそれ未満である、下方突っ張りと、
前記アイウェア面から前記パッドとの最初の接触点まで伸びる曲線状の上方突っ張りであって、前記上方突っ張りの最下地点と前記パッドの最高地点との間の垂直距離は、前記アイウェア面の背面と前記パッドとの間の水平距離におおよそ等しい又はそれ未満である、上方突っ張りと、
を備え、
前記下方及び上方突っ張りは、それぞれ凹所を含む、アイウェア。
【請求項１２】
請求項１１に記載のアイウェアであって、
前記下方突っ張りは、前記アイウェア面から前記下方突っ張りと前記パッドとの前記最初の接触点へ連続して上向きに伸びる、アイウェア。
【請求項１３】
請求項１２に記載のアイウェアであって、
前記上方突っ張りは、前記アイウェア面から前記上方突っ張りと前記パッドとの前記最初の接触点へ連続して下向きに伸びる、アイウェア。
【請求項１４】
請求項１１に記載のアイウェアであって、
前記下方突っ張りの前記凹所は、概ね下向きに向けられ、且つ、前記上方突っ張りの前記凹所は、概ね上向きに向けられる、アイウェア。
【請求項１５】
請求項１４に記載のアイウェアであって、
前記下方及び上方突っ張りは、概ね滑らかである、アイウェア。
【請求項１６】
請求項１１に記載のアイウェアであって、
前記突っ張りは、前記パッドの少なくとも一部分を包み込むパッドサポートに取り付けられる、アイウェア。
【請求項１７】
請求項１４に記載のアイウェアであって、
前記下方突っ張りは、前記下方突っ張りと前記パッドとの間の接触領域沿いに第２の凹
所を含み、前記上方突っ張りは、前記上方突っ張りと前記パッドとの間の接触領域沿いに第２の凹所を含む。アイウェア。
【請求項１８】
請求項１７に記載のアイウェアであって、
各突っ張り上における前記少なくとも２つの凹所は、概ね反対方向に向けられる、アイウェア。
【請求項１９】
請求項１１に記載のアイウェアであって、
前記パッドの前記上端と前記下端との間の距離は、前記下方及び上方突っ張りの最も接近する地点間の距離以上である、アイウェア。
【発明の詳細な説明】
【背景技術】
【０００１】
［関連出願］
本出願は、米国特許法第１１９条（ｅ）に基づいて、２０１０年９月８日に出願され「Nosepad Connector for Eyewear（アイウェアのためのノーズパッドコネクタ）」と題さ
れた米国仮出願第６１／３８１，０３６号の優先権を主張する。この出願は、参照によりその全内容を組み込まれ、本明細書の一部とされる。
【技術分野】
【０００２】
本発明は、総じて、アイウェアに関するものであり、特に、アイウェアのためのノーズピースに関するものである。
［関連技術の説明］
【０００３】
アイウェアは、一般的に、ノーズブリッジの対向側部上に１対の光学レンズ又は光学ゾーンを有する前部を含んでいる。該前部からは、後ろ（例えば背後）方向に１対のテンプルが伸びているのが通例である。ノーズピースは、１対の左右対称のノーズパッドを含むことができ、これらのノーズパッドは、着用者の鼻の上でメガネを支えるのを助けるために、ノーズブリッジの対向内方側部から内方に（例えば内側に）及び／又は後ろ方向に伸びているのが通例である。更なる快適さ及びフィット感を着用者に与えるために、各ノーズピースは、ノーズパッドとリムとの間にサポートフレームを含むことができる。
［概要］
【０００４】
本開示は、総じて、アイウェアに関するものであり、特に、アイウェアを透視位置に又は透視位置から上昇させる又は下降させる又はそれ以外の形で動かす間における外部物体との絡まり又はその他の干渉を回避するように構成された、メガネフレームのためのノーズピースに関するものである。
【図面の簡単な説明】
【０００５】
発明を限定することではなく例示することを意図している添付の図面によって、例が提供される。
【０００６】
【図１】ノーズピースを有するアイウェアの一実施形態の左正面斜視図である。
【図２】図１のアイウェアの正面図である。
【図３】図１のアイウェアの背面図である。
【図４】図１のアイウェアの底面図である。
【図５】図１のアイウェアの上面図である。
【図６】図１のアイウェアから１対のノーズパッドを部分的に拡大した左背面斜視図である。
【図７】図６の線７−７に沿った部分断面図である。
【図８】図６の線８−８に沿った部分断面図である。
【図９】ノーズピースパッドの別の構成の、図８のような部分断面図である。
【図１０】ノーズピースパッドの別の構成の、図８のような部分断面図である。
【図１１】ノーズピースサポートの側面図である。
【図１２】ノーズピースサポートの側面図である。
【図１３】ノーズピースサポートの側面図である。
【図１４】ノーズピースサポートの側面図である。
【図１５】アイウェアフレームと一体的に形成されたノーズピースサポートの部分側面図である。
【図１６】パッドに取り付けられてパッドを支えるパッドサポートの部分断面図である。
【図１７】パッドに取り付けられてパッドを支えるパッドサポートの部分側面図である。
【図１８】１対のレンズにサポートフレームを直接取り付けられたノーズピースの背面図である。
【図１９】パッドに取り付けられてパッドを支えるパッドサポートの側面図である。［図面の詳細な説明］
【０００７】
アイウェアには、メガネ、シールド、ゴーグルなどの、多くの様々な形態がある。また、メガネにも、矯正用のすなわち処方されたメガネ、サングラス、度無しメガネ、デュアルレンズメガネ、ユニタリレンズメガネ、ガラスレンズメガネ、ポリマレンズメガネ、フレームに入ったメガネ、フレーム無しのメガネなどの、多くの様々な形態がある。一部の実施形態では、例示のメガネのようなアイウェアは、１対の度無しレンズ又は眼科用光学レンズを支える左右のリムをノーズブリッジの対向側部上に有する前部を含んでいる。該前部からは、後ろ（例えば背後）方向に１対のテンプルが伸びることができる。着用者の鼻の上でメガネを支えるのを助けるために、ノーズピースが提供される。該ノーズピースは、ノーズブリッジ下においてリムの対向側部から内方に（例えば内側に）及び／又は後ろ方向に伸びる１対のノーズピースパッドを含むことができる。更なる位置的安定感及び快適さを着用者に与えるために、各ノーズピースは、ノーズパッドを（例えばフレームを通じて）アイウェアに接続するサポート構造を含むことができる。
【０００８】
一部の実施形態では、ノーズピースは、左パッドと右パッドとを含む。各パッドは、弓形の又は曲線状の突っ張りによって、メガネの隣接部分（例えばリム）に接続される。突っ張りの第１の端は、アイウェアの内方の縁に、溶接される、ロウ付けされる、又はそれ以外のやり方で接続される。突っ張りは、頂点領域に向かって概ね上向きに伸びて、次いで、パッド上における接続点に向かって概ね下向きに下降する。パッドへの接続は、フィット感を向上させるためにパッドが或る程度動くことを可能にするために、ピボット結合又は湾曲点を含むことができる。
【０００９】
一部の実施形態では、弓形の突っ張りは、上を向いた頂点と、下向きに開いた凹所とを有する。着用者は、時折、着用者の通常目線の前にある第１の使用時位置から、着用者の頭の上にある第２の休憩位置に、メガネを持ち上げることがある。着用者がメガネを頭の上から目線前の通常位置に戻すときは、ノーズピース突っ張りの下向き凹所及び／又は突っ張りとノーズパッドとの間のピボット結合が、着用者の髪の毛やアクセサリ類などの外部物体に絡まる可能性がある。本明細書で開示される一部の実施形態では、ノーズピース突っ張りの形状が、絡まり又はその他の干渉を最小限に抑える、減らす、又は排除するのを助けることができる。
【００１０】
図１〜５は、メガネフレーム１０の一実施形態を様々な視点から例示している。本明細書で開示される構造及びステップは、任意のタイプのアイウェアに使用又は適用することができる。メガネフレーム１０は、前部２０と、着用者の頭にメガネを保持するための１対のテンプル部分３０とを含むことができる。前部２０は、１対の光学ゾーンすなわちレンズ５０を支えるように構成することができる例えばリム４０などの１対のレンズサポートを含むことができる。前部２０は、また、リム４０の内側のすなわち内方の対向側部の間に伸びる１つ以上の部材を含むノーズブリッジ６０を含むこともできる。ノーズブリッジ６０は、リム４０の上位部分（例えば上部）に最も近いところでリム４０の対向内方側部の間に伸びる２本の概ね水平なノーズブリッジ部材６１、６３を有するものとして示されている。一部の実施形態では、アイウェアは、フレーム、リム、レンズ５０などの一部として一体化された単一の突っ張り又はノーズブリッジを含むことができる。
【００１１】
テンプル３０は、前部２０の外方の（例えば外側の）対向側部から後ろ方向に伸びることができる。一部の実施形態では、各テンプル３０は、前部２０に相対的に畳み位置と開き位置との間で可動であるために、ヒンジ７０によって前部２０に接続することができる。一部の実施形態では、各テンプル部分は、前部に接続する又は前部と単一構造として形成することができ、この場合、テンプルは、前部に対して実質的に固定される。一部の実施形態では、テンプルは、ヒンジ無しで前部に相対的に畳み位置と開き位置との間で可動であるために、可撓性であることができる。
【００１２】
リム４０は、単なる例示目的として、レンズ５０を完全に取り巻くものとして示されている。リムは、或いは、サポートがレンズの下部沿い若しくは上部沿いにのみ伸びる実施形態のように、又はテンプル及び／若しくはノーズブリッジがレンズに直接取り付けられる縁無しメガネフレームのように、レンズを部分的にのみ取り巻くことができる。また、例示のメガネフレーム１０は、１対の光学レンズ５０を支える１対のリムを含んでいるが、１つのユニタリレンズが着用者の左眼視線及び右眼視線の両方に跨がるその他の構成も可能である。前部２０、テンプル３０、リム４０、及びレンズ５０は、多くの様々な形状、サイズ、材料、及び構成のうちの任意を含むことができる。これらの部品には、射出成形、鋳造、機械加工、及びその他の構成技術を使用することができる。
【００１３】
ノーズピース８０は、着用者の鼻の上でメガネを支えるために、着脱不可又は着脱可能な方式でリム、フレーム、レンズなどに取り付けることができる。ノーズピース８０の実施形態は、本明細書では、単なる例示目的として、メガネフレームとの関連のもとで説明されており、その他のタイプのアイウェアにも用いることが可能である。ノーズピース８０は、各リム４０の対向内方部分に、そして、一部の実施形態では、例示目的で図１〜５に示されるように、ノーズブリッジ６０よりも下位（例えば下方）に、取り付けることができる。一部の実施形態では、ノーズピースは、リム４０、ノーズブリッジ６０、レンズ５０、及び／又は任意の中間サポート構造などの、フレーム１０の様々な部分に取り付けることができる。図１８に示される実施形態は、単なる例示目的として、各レンズ５０の対向内方部分に取り付けられたノーズピース８０を示している。
【００１４】
各ノーズピース８０は、フレーム１０へのその取り付け点（例えばリム４０の対向内方縁）から前方（例えば前側）に又は後ろ方向に伸びることができる。各ノーズピース８０は、フレーム１０へのその取り付け点から外方に又は内方に伸びることができる。例示の実施形態は、リムの対向内方縁から内方及び後ろ方向の両方に伸びるノーズピース８０の様々な部分を示している。ノーズピース８０は、締め具、ネジ係合、接着剤、溶接、はんだ付け、超音波接合、摩擦嵌め、圧入、スナップ嵌めなどの多くのやり方によって、着脱不可又は着脱可能な方式でメガネフレーム１０に取り付けることができる。ノーズピース８０は、個別に形成することができる、又はリム４０、ノーズブリッジ６０、レンズ５０、及び／若しくは任意の中間サポート構造などの、フレーム１０の様々な部分と一体的に形成することができる。本明細書で更に説明されるように、各ノーズピース８０は、ノーズピース８０の快適さ及びフィット感を向上させるためのノーズパッドと、パッドを支えるためのパッドサポート構造とを含むことができる。
【００１５】
図６は、図１〜５のメガネフレーム１０によって支えられるノーズピース８０の一実施形態を部分的に拡大した左背面斜視図である。図７は、図６の線７−７に沿ったノーズピース８０の一実施形態の断面図である。図６及び図７の両方を参照すると、ノーズピース８０は、フレーム１０の一部分と、対応する左及び右のノーズピースパッド８４との間に伸びる左及び右のパッドサポート８１を含むことができる。パッドサポート８１及びパッド８４は、ノーズピース８０への物体の引っ掛かりを減らすように、パッド８４に更なる支えを提供するように、及び／又は美観を目的として、構成することができる。一部の実
施形態では、パッドサポート８１は、パッド８４と、フレーム１０の一部分との間に、部分的に、実質的に、又は全体的に囲われたセル８３を形成して、パッドと、隣接するリム又はパッドサポートとの間における異物の引っ掛かり又は捕らわれを減らすために、フレーム１０の上記一部分（例えばリム４０）に、又はレンズに、又は光学ゾーンに取り付けられるように構成することができる。
【００１６】
ノーズピースパッド８４は、なかでも特に、実質的に円形、半円形、実質的に長円形、実質的に楕円形、実質的に矩形、実質的に台形、実質的に三角形、実質的に卵形、又は実質的に涙のしずく形（例えば、例示のような涙のしずくを逆さにした形）などの、多くの様々な形状のうちの任意を含むことができる。取り付けられた状態で、ノーズパッド８４は、着用者の鼻に接触する内方表面と、反対方向を向いた外方表面とを有することができる。パッド８４は、着用者の鼻に対する更なるつかみ、安定性、及び快適さのために、特に内方表面上に、様々な輪郭（例えば図８）、穿孔、突出、隆起線、表面テクスチャ、又は被覆を含むことができる。パッド８４は、快適で且つ確実なフィット感のために、軟質ポリマなどの、エラストマ材料、弾性材料、及び／又は適合材料を含むことができる。ノーズピースパッド８４は、スナップ式に嵌り合う、接着剤によって接合される、又はそれ以外のやり方で互いに固定し合うことができる対応する接触表面（例えば「貝殻」タイプの形状）を有する２つ以上の部分のような、パッドサポート８１の対向側部上に取り付けられる２つ以上の部品を含むことができる。ノーズピースパッド８４は、その長さ、幅、又は厚さのいずれかにわたって、おおよそ直線状の、概ね平行の、先細りの、及び／又は曲線状の、縁、側部、又は表面を含むことができる。図６及び図７の代表的な実施形態では、ノーズピースパッド８４は、その下位端よりもその上位端の直径のほうが大きい曲線を有する長楕円形である。
【００１７】
ノーズピースパッド８４は、プラスチック又は金属などの、多くの様々な材料のうちの任意を含むことができる。ゴム入り材料又はエラストマ材料が使用可能である。各パッド８４は、合成物、ゴムで被覆された金属、プラスチック、又は発泡体のように、２つ以上の材料を含むことができる。パッド８４は、耐性、可撓性、水分吸収若しくは水分吸着、粘着性、及び／若しくは耐化学性を向上させるために熱的に、化学的に、若しくは機械的に処理することができる、又は耐性、可撓性、水分吸収若しくは水分吸着、粘着性、及び／若しくは耐化学性を向上させる任意の材料を含むことができる。パッド８４は、任意の色の材料を含むことができ、実質的に透明な、不透明な、若しくは半透明な材料、又はそれらの任意の組み合わせを含むことができる。一実施形態では、ユーザがパッド８４を通してパッドサポート８１の一部分を見ることができるように、パッド８４の一部分が、実質的に透明又は半透明である。パッド８４の材料の色、透明性、半透明性、及び／又は不透明性は、美観的な理由で（例えば、パッド８４を通してパッドサポート８１の一部分を見せる若しくは隠すために）、又はパッド材料の特定の光学特性（例えば、その反射率、屈折率など）に合わせて、選択することができる。
【００１８】
ノーズピースパッド８４及びパッドサポート８１は、ノーズピース８０をフレーム１０の一部分に取り付けるためとして本明細書で更に説明される任意の構造又は方法を使用するなどによって、互いに取り付けることができ、また、互いに別々に又は一体的に形成することができる。一部の実施形態では、例示のように、パッドサポート８１は、概ね連続したループを間に有する上方取り付け点及び下方取り付け点などの少なくとも２つの取り付け点上で、パッド８４に接続する。例示のように、パッドサポート８１は、パッド８４の外周の大部分に沿ってパッド８４に接触することができる。一部の実施形態では、ノーズピースパッドは、摩擦嵌め、圧入、スナップ嵌め、締まり嵌めなどの、多くの様々なやり方によってパッドサポートに取り付けることができる。一部の実施形態では、ノーズピースパッド８４は、パッドの周縁上に、又はパッドの外方表面から伸びる取り付け支柱上に、パッド７４を容易に受け入れてサポート構造８１に取り付けるように構成された例え
ば溝及び／又は通路などの受け入れ部分を含むことができる。例示のように、パッド８４の周縁すなわち外周の領域は、快適なフィット感を与えるために、着用者の顔に接触するように構成されたノーズピースの領域の全部又は実質的に全部にわたってサポート構造８１から外側に広がることができる。受け入れ部分は、洗浄又は交換のためにユーザがパッド８４をフレーム１０に及び／又はフレーム１０から容易に組み付ける及び／又は取り外すことを可能にすることができる。
【００１９】
図８は、図６の線８−８に沿ったノーズピースの一実施形態の断面図である。図６〜８を参照すると、パッド８４は、着脱不可又は着脱可能な方式でパッドサポート８１の一部分を受け入れるように及びパッドサポート８１の一部分によって支えられるようにサイズ及び形状を決定された、溝８５として例示される受け入れ部分を含むことができる。溝８５は、パッド８４の外向きの周縁から半径方向内側に入り込む深さを含むことができる。図８は、その中にパッドサポート８１を部分的にのみ受け入れるようにサイズ及び形状を決定された溝８５を示している。パッド８４は、パッドサポート８１がパッド８４の表面に相対的におおよそ平らに取り付けられる（図９）又は部分的に埋め込まれる（図１０）ように構成された、受け入れ部分を含むことができる。一部の実施形態では、溝８５の深さは、パッドサポート８１の直径すなわち断面幅と少なくとも同じ大きさであることができる。パッドサポート８１は、パッドの周縁を部分的に、実質的に全体的に、又は全体的に溝８５内に包み込むことによってパッド８４を保持する又は支えるように構成することができる。
【００２０】
一部の実施形態では、溝８５は、パッド８４の周縁の少なくとも約２５％、少なくとも約５０％、約７５％から約１００％を取り巻いて伸びることができる。
【００２１】
一部の実施形態では、溝８５の幅（例えば直径）は、パッド８４の厚さの約２０％から約８０％の範囲内であることができる。図８及び図１０において、溝８４は、パッド８４の中心面におおよそ中心があるものとして示されている。溝８５は、パッド８４の厚さに相対的に、内方又は外方に位置決めすることができる。
【００２２】
図６に例示されるパッドサポート８１は、通常使用条件下でパッド８４をメガネリムに固定するために、溝８５内にあってパッド８４の周囲を十分な長さにわたって取り巻いている。一部の実施形態では、パッドサポート８１は、パッドの外周すなわち周縁の少なくとも約５０％、少なくとも約７０％、又は少なくとも約８５％を取り巻いて伸びることができる。後述される図１６の実施形態では、パッドサポート８１は、パッドの８４の周縁全体を取り巻いている。
【００２３】
パッドサポート８１及び相補溝８５の断面形状（図８）は、実質的に円形であるものとして例示されているが、パッドサポート８１は、実質的に四角形、卵形、矩形、（逆さにした若しくはそうでない）三角形、台形、アーチ形、半円形、又は相補溝８５によって受け入れられてその中にあることができるその他の任意の形状などの、多くの様々な断面形状を含むことができる。
【００２４】
図９は、パッド８４の縦方向の面９４に沿って位置決めされた溝１８５を含むパッド８４の一実施形態の断面図である。多くの点で、パッド８４及び溝１８５は、図６〜８に示されるパッド８４及び溝８５と実質的に同様であってよく、尚且つそれらと実質的に同様に機能することができる。パッド８４及び溝１８５は、溝１８５がパッド８４の側面９４から横方向内側の深さに入り込むことができるという点で、異なっている。パッド８４がパッドサポート８１に取り付けられるとき、側面９４は、それが使用者の鼻に接触するように内方を向くように、又は反対側の側面９５が使用者の鼻に接触するように外方を向くように、位置決めすることができる。パッド、パッドサポート、及びそれらの構成要素に
言及するにあたって本明細書で使用される「内方」及び「外方」という方向は、フレーム１０に対するノーズピース８０の取り付けに応じ、代替的に又は追加的に、フレーム１０及びそのその他の部品に相対的な「前」方向及び「後ろ」方向としてそれぞれ定めることができる（例えば図４及び図５参照）。
【００２５】
溝１８５は、サポートをパッドに更に埋め込むために及びそうすることによって取り付け及び支えを向上させるために、溝１８５の開きに部分的に被さるリップ８８を含むことができる。リップ８８は、図９に示されるパッド８４の実施形態に限定されず、本明細書で説明されるパッドのその他の実施形態にも使用することができる。溝１８５は、上述された溝８５のように周縁から内側に入ったところで側面９４の周りを取り巻いて伸びることができる。
【００２６】
図１０は、埋め込み通路８７を含むパッド８４の一実施形態を例示している。通路８７は、図６〜９における溝８５、１８５と構造的に同様であり、尚且つそれらと同様に機能することができる。通路８７は、パッド８４に更なる支えを提供するために、又は美観を目的として、パッドの周縁内に一層深く埋め込まれているという点で、溝８５と異なっている。
【００２７】
通路８７は、パッド８４がサポート構造８１に取り付けられるときにパッドサポート８１を通らせて通路８７に入ることを可能にするために、その長さの一部分、大部分、又は全部にわたってスリットすなわち隙間１８７を含むことができる。一部の実施形態では、パッドは、サポートと係合させるためにパッドを圧入し、パッドサポートがその対応通路に受け入れられるまでパッドを弾性的に変形させることによって、パッドサポートに取り付けることができる。この目的のためには、パッドは、シリコーンゴムなどの適度に弾性の材料、又はKrayton Polymers, Inc.から入手可能なポリスチレン−ゴム共重合体などのスチレンブロック共重合体で形成されることが好ましい。パッドサポート８１の周囲には、デュロメータ硬さがより高い（より高剛性な）材料を使用及び成形することができる。一部の実施形態では、通路８７は、パッドサポート８１の縦方向の周りを完全に取り巻くことができる。
【００２８】
通路８７は、構造８１の細長い部分を挿入することができる開口１８８を、パッド８４の周縁沿いに又はパッド８４の一方の側部沿いに含むことができる（図１３参照）。開口１８８は、パッド８４の側部のいずれか一方又は両方（例えば内方又は外方の側部）に位置決めすることができる。
【００２９】
再び図６及び図７を参照すると、パッドサポート８１は、パッド８４を保持するのに十分な剛性を有する様々な材料のうちの任意を含むことができ、メガネフレーム１０を使用者の鼻の上で支えることができる。一部の実施形態では、サポート構造８１は、サポート構造を調整して着用者の鼻にフィットさせるのに十分な可撓性を有する成形金属などの金属のワイヤ突っ張りを含む。図６に例示されるように、上方突っ張り８６及び下方突っ張り８２の一方又は両方は、アイウェア面の背面との接触点又は接触領域からパッド８４との第１の接触点へ連続して上向きに（下方突っ張り８２の場合）及び／又は連続して下向きに（上方突っ張り８６の場合）進む概ね滑らかで曲線状の経路をたどるように、形状及び向きを決定することができる。
【００３０】
パッドサポート８１は、少なくとも部分的にパッド８４を取り巻いて支えるように構成された金属閉ループなどの、パッドサポート部材８９を含むことができる。例示のように、一部の実施形態では、パッドサポート部材及び突っ張り８２、８６は、単一構造として一体化させることができる。一部の実施形態では、パッドサポート８１（例えばパッドサポート部材８９、突っ張り８２、８６）及び／若しくはパッド８４、並びに／又はフレー
ム１０（例えばリム４０）は、ノーズピース８０が使用者の鼻に快適で且つフィットするように、パッド８４がパッドサポート８１に相対的に回転することを可能にする及び／又はパッドサポート８１がフレーム１０に相対的に回転することを可能にする回転部材を含むことができる。回転部材は、ハブ、軸受け、ヒンジ、ピン、ボール−ソケット、アクスル、回転結合、クラッチ、円盤、ギア、又はサポートループ８９とパッド８４との間におけるスライド連結などの、回転運動を提供するものとして当該技術分野で知られる多くの構造のうちの任意を含むことができる。
【００３１】
パッドサポート部材８９は、フレーム１０の一部分に直接取り付けるように構成することができる、又はフレーム１０に取り付けられる１つ以上の中間サポート要素に取り付けるように構成することができる。一部の実施形態では、パッドサポート８１は、フレーム１０の一部分（例えばリム４０）にそれぞれ取り付けることができる２つのサポート要素、例えば第１及び第２の突っ張り８２、８６、に取り付けられるパッドサポート部材８９を含むことができる。
【００３２】
突っ張り８２及び／又は８６の湾曲（仮にあるならば）、形状、及び位置決めは、ノーズピース８０に対する髪の毛の引っ掛かりの発生を減らすように及び更なる支えを潜在的に提供することができるように選択されることが好ましい。突っ張り８２及び８６は、溝８５及びパッドサポート部材８９について本明細書で説明された縦断面形状などの、多くの形状のうちの任意を含むことができる。突っ張り８２及び８６の形状は、互いと、並びに溝８５及びパッドサポート部材８９と、同じ又は異なることができる。突っ張り８２及び８６は、中空又は中実であることができる。突っ張り８２及び８６は、そのいずれか一方又は両方を、別の構造と一体化させる又は単一構造にすることができる。突っ張り８２及び８６は、それぞれ、同じ構造の異なる側であることができる。例えば、一部の実施形態では、突っ張り８２と突っ張り８６との間の概ね垂直な領域は、その上側及び／又は下側を突っ張り８２及び８６のいずれか一方又は両方によって形成される中実の又は単一構造の部品を形成することができる。中実の又は単一構造の部品は、その中に１つ以上の開口を含むことができる。一部の実施形態では、突っ張り８２及び８６は、パッド８４及び／又はパッドサポート部材８９を支えるために及びパッド８４及び／又はパッドサポート部材８９に取り付けるために、細長い形状を含むことができる。突っ張り８２及び／又は８６は、１つ以上の実質的に真っ直ぐな又は湾曲した（例えば凹状の若しくは凸状の）部分、又はそれらの任意の組み合わせを含むことができる。
【００３３】
図７を参照すると、例示の突っ張り８２及び８６は、突っ張り８２の下向き凹状部分８２ｃと突っ張り８６の上向き凹状部分８６ｃとを有するおおよそ凹状の部分を含む。本実施形態及びその他の実施形態に例示されるように、パッドサポート８１は、少なくとも２つの概ね対向曲線を含むことができる。凹状部分８２ｃ、８６ｃは、髪の毛、皮膚、又はその他の物品などの外部物体の、ノーズパッドとその隣接するリムとの間における外方への動きを防ぐために、突っ張り８２、８６のそれぞれとパッド８４との間に、緩やかで且つ概ね滑らかな移行を提供することができる。例示のように、突っ張り８２は、アイウェアとの接続点とパッド８４との最下接触点との間の領域における１つ以上の地点がパッドの最下部分８４ａよりも高いように、すなわちそこから上方にずれているように、成形することができる。同様に、例示のように、突っ張り８６は、アイウェアとの接続点とパッド８４との最上接触点との間の領域における１つ以上の地点がパッドの最上部分８４ｃよりも低い、すなわちそこから下方にずれているように、成形することができる。一部の実施形態では、図１１に例示されるように、突っ張り８２及び／又は８６は、下向き凸状部分８２ｄ又は上向き凸状部分８６ｄなどの、実質的に外側に凸状の部分を含むことができる。突っ張り８２及び／又は８６の形状、並びにそれらがフレーム１０から伸びる角度は、突っ張り８２及び／又は突っ張り８６に対する使用者の髪の毛やアクセサリ類などの引っ掛かり又は捕らわれを防ぐように選択することができる。突っ張り８２及び８６のそれ
ぞれの末端８２ａ及び８６ａは、それぞれパッドサポート部材８９の下位部分及び上位部分沿いにパッドサポート部材８９に取り付けることができる。突っ張り８２及び８６の基端８２ｂ及び８６ｂは、それぞれフレーム１０沿いに互いから距離を空けて取り付けることができる。パッドサポート部材８９及び突っ張り８２、８６は、本明細書の随所で説明されるような任意の方法又は構造を使用して、フレーム１０の様々な部分に取り付けることができる。パッドサポート部材８９及び突っ張り８２、８６は、互いと、及びフレーム１０の他の部分と、別々に又は一体的に形成することができる。例示の実施形態では、突っ張り８２及び８６は、ノーズピース８０に対する物体の引っ掛かりを防ぐことができる囲われたセル８３をパッド８４とリム４０との間に形成するために、パッド８４及びパッドサポート部材８９に取り付けられる。
【００３４】
図７に例示されるように、突っ張り８２及び８６は、それぞれ角度θ１及びθ２でフレーム１０に取り付けることができる。本文脈において、「取り付けられる」、「接続される」などの用語は、別々に形成された構造、又は連続したワイヤを成形する若しくは曲げることによって形成されるなどの一体的に形成された構造を含む。本明細書で使用される角度θ１は、軸５１０と軸５２０との間の角度として定められる。軸５１０は、突っ張り８２の端部分の縦軸におおよそ平行に、突っ張り８２の中心線に概ね沿って伸びている。軸５２０は、突っ張り８２を取り付けられるフレーム１０（又はレンズ又は光学ゾーン）の下位部分（例えばリム４０）の外側の縁すなわち側部におおよそ平行に（すなわち接線方向に）伸びている。本明細書で使用される角度θ２は、軸５３０と軸５４０との間の角度として定めることができる。軸５３０及び軸５４０は、それぞれ軸５１０及び軸５２０と同様に定めることができ、ただし、軸５３０は突っ張り８６に相対的に、軸５４０は突っ張り８６に相対的に定められる。
【００３５】
角度θ１及びθ２は、リムへの下位取り付け点から上位取り付け点にかけて、パッドの内方の縁に沿うようにして、概ね滑らかで且つ概ね連続する外縁を提供するように、選択することができる。角度θ１及びθ２は、同じ又は大幅に異なる角度を含むことができる。一部の実施形態では、角度θ１及びθ２の一方又は両方が、実質的に鋭角を含む（図１１）、又は好ましくは実質的に鈍角を含む（図７、図１２〜１４）。一部の実施形態では、角度θ１及びθ２の一方又は両方が、少なくとも約５度から約１７５度以下及び／若しくは約１７５度以下である、又は少なくとも約９０度から約１７０度以下及び／若しくは約１７０度以下である。少なくとも約１４５度又は少なくとも約１６５度の角度が、フレーム上、レンズ上、又は光学ゾーン上の取り付け点からの滑らかで且つ概ね垂直な移行を提供することができる。
【００３６】
突っ張り８２及び８６は、パッド８４の様々な場所に取り付けることができる。例示のように、パッドサポート８１の形状及び向き、並びにパッドサポート８１とパッド８４との接続方式は、狭い、深い、及び／又は角を持つ通路又はくびれを排除又は回避するように構成することができる。そうでないと、このような通り道又はくびれによって、ノーズピース８０は、特に髪の毛やアクセサリ類のような長くて細い物体などのその他の物体に絡まる又は干渉する恐れがある。図７を参照すると、末端領域８２ａは、パッドサポートの下位部分に、軸５５０と軸５６０との間の角度θ３で接続することができ、末端領域８６ａは、パッド８４の上位領域に、軸５７０と軸５８０との間の角度θ４で接続することができる。軸５５０は、パッド８４の下位部分に最も近いところで、パッド８４の外側の縁すなわち側部におおよそ平行に（又は接線方向に）伸びることができる。軸５６０は、末端領域８２ａに最も近いところで、突っ張り８２の中心線に概ね沿って、突っ張り８２の縦軸におおよそ平行に伸びている。軸５７０及び５８０は、それぞれ、軸５５０及び５６０と同様に定めることができ、ただし、軸５７０は、パッド８４の上位部分に最も近いところで伸びており、軸５８０は、突っ張り８６に相対的に定められる。角度θ３及びθ４は、角度θ１及びθ２について本明細書で説明されるのと同様な理由で、尚且つ同様な
範囲内で選択することができる。角度θ１、θ２、θ３、及びθ４は、互いに同じ又は異なってよいことが理解される。
【００３７】
末端領域８２ａは、パッド８４の側部８４ａ沿いにおいて、突っ張り８２の末端領域８２ａ（例えば軸５５０と軸５６０との交点）とパッド８４の下位端８４ａ（例えば最下位の端すなわち先端）との間の距離として定められる下位距離Ｌ１に位置決めすることができる。一部の実施形態では、距離Ｌ１に沿って伸びる内方側部８４ｂの部分は、外部物体に捕らわれやすい傾向がある。したがって、距離Ｌ１は、パッド８４が外部物体に捕らわれないように選択することができる。距離Ｌ１は、また、パッド８４及びパッドサポート部材８９に更なる支えを提供するように、並びに／又は美観的な理由で選択することができる。一部の実施形態では、Ｌ１は、おおよそ０．１ｍｍからおおよそ２０ｍｍまで、又はより狭い範囲でおおよそ０ｍｍからおおよそ１５ｍｍまで、又はおおよそ１ｍｍからおおよそ１０ｍｍまで、又はおおよそ２ｍｍからおおよそ６ｍｍまでに及ぶことができる。一部の実施形態では、Ｌ１は、パッド８４の全長（又はここで示されるように高さ）に占める割合として定めることができる。一部の実施形態では、Ｌ１は、パッド８４の全長のおおよそ１％からおおよそ５０％まで、又はより狭い範囲でおおよそ２％からおおよそ２５％まで、又はより狭い範囲でおおよそ３％からおおよそ１５％まで、又は更により狭い範囲でおおよそ３％からおおよそ１０％までに及ぶことができる。例示のように、突っ張り８２及び８６の輪郭は、フレーム、レンズ、又は光学領域との接続点における概ね垂直な向きから、パッド８４との接続点における概ね水平な向きにかけて、１つ以上の概ね滑らかな湾曲を含んで尚且つ方向の急激なすなわち突然の変化を伴わずに移行するように構成することができる。一部の実施形態では、末端領域８２ａ及び８６ａは、パッドサポート８１へのパッド８４の固定を助けるために、対応するパッド８４の下縁（８２ａの場合）を超えて垂直方向に上向きに及び対応するパッド８４の上縁（８６ａの場合）を超えて垂直方向に下向きに、比較的短い距離で、ただし絡まり領域を形成するほど長くならずに、伸びる又は窪むことができる。一部の実施形態では、この上向き及び／又は下向きの伸び又は窪みの距離は、上側及び／又は下側のいずれにおいても、パッド８４の横幅すなわち厚さとおおよそ同じ大きさ又はそれ未満であることができる。一部の実施形態では、図７に例示されるように、下方突っ張り８２上の最上地点と、ノーズパッド８４上の最下地点との間の垂直距離は、突っ張り８２自体の径の厚さとほぼ同じ大きさ若しくはそれよりも小さい、又はパッド８４の（前後の）幅とほぼ同じ大きさ若しくはそれよりも小さい、又はアイウェア面の背面との接続点若しくは接続領域とノーズパッド８４との第１の接触点若しくは接触領域との間に及ぶ突っ張り８２の水平距離とほぼ同じ大きさ若しくはそれよりも小さい、又は突っ張り８２における１の凹所が及ぶ水平距離とほぼ同じ大きさ若しくはそれよりも小さいなどのように、総じて小さいことが可能である。これらの大きさ及び比率は、全て、図７に例示されている。例示のように、上方突っ張り８６もやはり、対応する上側の構造と同じ又は同様な大きさ及び比率を含むことができる。更に、例示のように、パッドの上端と下端との間の距離は、第１の突っ張り及び第２の突っ張りの最も接近する地点間の距離以上であることができる。
【００３８】
末端領域８６ａは、同様に、パッド８４の側部８４ｂ沿いにおいて、突っ張り８６の末端領域８６ａとパッド８４の上位端８４ｃ（例えば最上位の端すなわち先端）との間の距離として定められる上位距離に位置決めすることができる。該上位距離は、距離Ｌ１について提供された上記の任意の範囲に対応している。突っ張り８６の末端領域８６ａと、パッド８４の上位端８４ｃとの間の距離は、Ｌ１について本明細書で説明されるのと同様な理由で、及び同様な値又は範囲内で選択することができる。末端領域８６ａと上位端８４ｃとの間の上位距離は、与えられる任意の実施形態において、距離Ｌ１と同じ又は異なることができる。一部の実施形態では、Ｌ１及び／又は末端領域８６ａと上位端８４ｃとの間の距離は、おおよそゼロであることができる（例えば、突っ張り８２、８６は、パッド８４の上端及び下端の近くに明らかな凹所を有することなく概ね平坦であることができる
）。
【００３９】
末端領域８６ａは、パッド８４の上位端８４ｃに沿って、パッド８４の外方側部８４ｄ（例えば最も外方の縁）と突っ張り８６の末端領域８６ａ（例えば軸５７０と軸５８０との交点）との間の距離として定められる内方距離Ｌ２に位置決めすることができる。距離Ｌ２にわたって伸びる上位端８４ｃの部分は、外部物体に捕らわれやすい傾向がある。したがって、距離Ｌ２は、上位端８４ｃが外部物体に捕らわれないように、並びに距離Ｌ１及び下位端８４ａについて上述されたのと実質的に同様なその他の理由で選択することができる。一部の実施形態では、Ｌ２は、おおよそ０ｍｍからおおよそ１５ｍｍまで、又はおおよそ１ｍｍからおおよそ１０ｍｍまで、又はおおよそ２ｍｍからおおよそ８ｍｍまで、又はおおよそ３ｍｍからおおよそ７ｍｍまでに及ぶことができる。一部の実施形態では、Ｌ２は、パッド８４の全幅に占める割合として定めることができる。一部の実施形態では、Ｌ２は、パッド８４の全幅のおおよそ１％から９９％まで、又はより狭い範囲で１０％から９５％まで、又はより狭い範囲で４５％から９５％まで、又は更により狭い範囲で７０％から９０％までに及ぶことができる。Ｌ２は、おおよそゼロであってもよく、この場合、突っ張り８６は、パッド８４の外方の側部すなわち縁８４ｃの最も近くでパッド８４に取り付けられる。Ｌ２は、パッド８４の全幅のおおよそ１００％であってもよく、この場合、突っ張り８６は、パッド８４の内方の側部すなわち縁８４ｂの最も近くでパッド８４に取り付けられる。
【００４０】
末端領域８２ａは、パッド８４沿いにおいて、パッド８４の下位端８４ａに沿って、パッド８４の外方側部８４ｄ（例えば最も外方の縁）と突っ張り８２の末端領域８２ａ（例えば軸５５０と軸５６０との交点）との間の距離として定められる内方距離に位置決めすることができる。該内方距離は、距離Ｌ２について提供された上記の任意の範囲に対応している。パッド８４の外方側部８４ｄと、末端領域８２ａとの間の外方距離は、パッド８４の下位端８４ａが外部物体に引っ掛からないように、並びにＬ２及び上位端８４ｃについて上述されたのと実質的に同様な理由で及び同様な値又は範囲内で選択することができる。内方距離Ｌ２、及び下位端８４ａと外方側部８４ｄとの間の内方距離は、互いにおおよそ同じ又は互いに異なってよいことが理解される。
【００４１】
引き続き図６及び図７を参照すると、パッドサポート部材８９は、突っ張り８２、８６、溝８５、１８５、及び通路８７について本明細書で説明されるあらゆる形状を含む多くの形状の任意を含むことができる。パッドサポート部材８９は、パッド８４を支えるとともにパッド８４上の受け入れ部材（例えば図８〜１０の溝８５、１８５、及び／又は通路８７や、図１９の凹み部分２８５）に受け入れられることが可能な形状を有する細長い部材であることができる。
【００４２】
パッドサポート部材８９は、多くの様々なやり方のうちの任意のやり方でパッド８４に取り付けてパッド８４を支えることができる。本明細書で更に説明されるように、パッド８４は、パッドサポート部材８９の縦方向の周りを部分的に包み込む溝８５、１８５、及び／又は通路８７によって、パッドサポート部材８９に取り付けることができる（図８〜１０）。パッドサポート部材８９は、対応する溝８５、１８５、及び／又は通路８７の部分に係合してパッドサポート部材８９をパッド８４に取り付けるために、パッド８４の周、長さ、及び／若しくは幅、並びに／又はパッド８４の上位縁、下位縁、前縁、及び／若しくは後縁のうちの任意の、一部分、大部分、又は全部に及ぶことができる、或いはそれを包み込むことができる。一部の実施形態では、パッドサポート部材８９は、パッド８４の一部分を受け入れることができる開口（例えばループ）を形成するように（例えば図１６参照）、パッド８４の一部分を完全に包み込むように成形することができる。一部の実施形態では、パッドサポート８９のこれらの特徴及び機能は、外部物体に捕らわれやすいだろう機械的締め具、接着剤、又はその他の取り付け方法を使用することなくパッドサポ
ート８９がパッド８４に取り付けてパッド８４を支えることを可能にする。一部の実施形態では、パッドサポート部材８９は、パッド８４の周りすなわち周縁の、おおよそ５％からおおよそ９５％、又はおおよそ２０％からおおよそ９０％、又はおおよそ４５％からおおよそ８０％、又はおおよそ６０％からおおよそ７０％を包み込むことができる。
【００４３】
一部の実施形態では、パッドサポート部材８９は、中間構造無しでリム４０などのフレーム１０の一部分に取り付けることができる（例えば図１５）。一部の実施形態では、パッド８４自体が、パッド８４とパッドサポート８１とを組み合わせた形状と同じ又は同様の形状又はサイズに決定されてよく、したがって、パッドサポート８１に関連して本明細書で開示される内容は、全て、パッド８４自体の一領域に適用することができる。本明細書で例示されるようにパッド８４がパッド８４とパッドサポート８１との組み合わせのように成形される一部の実施形態では、別途のパッドサポート８１は不要になり得る。パッド８４は、フレーム、レンズ、又は光学ゾーンに直接接続することができる。一部の実施形態では、パッドサポート部材８９は、突っ張り８２及び／又は８６などの中間構造によってフレーム１０の一部分に取り付けることができる。突っ張り８２、８６は、パッドサポート部分８９の長さに沿った任意の位置でパッドサポート部分８９に取り付けることができる。一部の実施形態では、突っ張り８２の末端領域８２ａは、パッドサポート部材８９の下位端の最も近くでパッドサポート部材８９に取り付けることができる（例えば、図７、１１、及び１２参照）。一部の実施形態では、突っ張り８６の末端領域８６ａは、パッドサポート部材８９の上位端の最も近くでパッドサポート部材８９に取り付けることができる（例えば、図７及び１１参照）。突っ張り８２及び／又は８６は、以下で更に説明されるように、パッドサポート部分８９の下位端と上位端との間でパッドサポート部材８９に取り付けることができる（図１２）。図６及び図７における代表的な実施形態では、突っ張り８２、８６の末端は、突っ張り８２の基端８２ｂから突っ張り８６の基端８６ｂにかけて、切れ目又は突き出しのない連続したカーブ又はスプラインを形成するために、それぞれパッドサポート部材８９の下位端及び上位端に取り付けられる。
【００４４】
パッドサポート部材８９は、突っ張り８２、８６に相対的に多くの様々な方向に、突っ張り８２、８６から伸びることができる。一部の実施形態では、パッドサポート部材８９は、図７、１１、１２、１３、１４、１５に示されるように、突っ張り８２及び／又は８６（例えば末端８２ａ、８６ａ）から外方に伸びることができる。一部の実施形態では、パッドサポート部材８９は、図１２、１４に示されるように、突っ張り８２及び／又は８６（例えば末端８２ａ、８６ａ）から内方に伸びることができる。一部の実施形態では、パッドサポート部分８９の部分が、図１２、１４に示されるように、突っ張り８２、８６から内方方向及び外方方向の両方に伸びることができる。
【００４５】
パッドサポート部材８９は、突っ張り８２に相対的に、本明細書で説明されたあらゆる角度θ１又は角度範囲θ１を含む様々な角度で取り付け及び位置決めすることができる（図７）。限定を伴わない例示の目的として、図１２は、実質的に鋭角θ３で突っ張り８２に取り付けられたパッドサポート部分８９を示しており、図１３は、おおよそ９０度、すなわち直交角度θ４で突っ張り８２に取り付けられたパッドサポート部分８９を示しており、図１４は、実質的に鈍角θ５で突っ張り８２に取り付けられたパッドサポート部分８９を示している。パッドサポート部材８９は、突っ張り８６に相対的に、突っ張り８２への部材８９の取り付けと同様な角度及び角度範囲で取り付け及び位置決めすることができる。
【００４６】
図１１は、ノーズピース８０の代表的な一実施形態の側面図を示している。ノーズピース８０は、突っ張り８２及び８６によってリム４０に接続されるパッドサポート部材８９を備えたパッドサポート８１を含み、本明細書で説明され図６〜７に示されたものと同様に機能することができる。図１１は、単なる例示目的として、突っ張り８２及び８６がそ
れぞれ実質的に鋭角θ１及びθ２でリム４０に取り付けられた一実施形態を示している。図１１は、また、突っ張り８２及び８６が下向き凹状部分８２ｃと、上向き凹状部分８６ｃと、下向き凸状部分８２ｄと、上向き凸状部分８６ｄとを含む例示的な一実施形態も示している。図１１は、また、パッドサポート部材８９が突っ張り８２及び８６の末端から外方に伸びる一実施形態も示している。
【００４７】
図１２は、ノーズピース８０の別の代表的な一実施形態の側面図を示している。わかりやすいように、パッド８４は、仮想線で示されている。図１２は、パッドサポート部材８９の一部分が突っ張り８６の末端領域８６ａから外方に伸び、パッドサポート部材８９の他の部分が突っ張り８２、８６の末端８２ａ、８６ａからそれぞれ内方に伸びる代表的な一実施形態を示している。パッドサポート部材８９を突っ張り８２、８６の端から内方に伸ばすことは、例えば、パッド８４を矢印５９０で示される方向に部材８９に相対的に動かすことによって部材８９にパッド８４を取り付ける及び／又は部材８９からパッド８４を取り外すことを容易にすることができる。この実施形態は、部材８９にパッド８４を取り付ける及び／又は部材８９からパッド８４を取り外す際における、ノーズピース８０を取り付けられたフレーム１０とパッド８４との間の干渉を防ぐことができる。突っ張り８６は、パッド８４の外方上位部分に沿って更なる支えを提供するために、パッドサポート部材８９沿いにおいてパッドサポート部材８９の下位端と上位端との間の地点でパッドサポート部材８９に取り付けられるものとして示されている。一部の実施形態では、パッドサポート部材は、その末端に位置決めされた実質的に凸状の部分８５ｄを含むことができる。凸状部分８５ｄは、実質的に連続的であるように及びパッド８４の外方の縁又は側部８４ｄ（例えば凸状の縁又は側部）と位置が揃うように構成することができる。凸状部分８５ｄは、本明細書で更に説明される凸状部分８２ｄ、８６ｄと同様であってよく、尚且つそれらと実質的に同様に機能することができる。
【００４８】
突っ張り８２は、突っ張り８２の端８２ａとパッドサポート部材８９の下位端との取り付け点で凸状部分８２ｄに移行する凹状部分８２ｃを含むことができる。突っ張り８２とパッドサポート部材８９は、実質的に鋭角θ３で接続することができる。突っ張り８２とパッド８４とが大きな切れ目、方向の急激な変化、又は鋭い若しくは尖った縁無しで実質的に連続した概ね凸状の部分を形成するように、凸状部分８２ｄは、パッド８４の外方の縁又は側部８４ｄ（例えば凸状の縁又は側部）と位置が揃うように、例えば滑らかな移行を提供するように、構成することができる。
【００４９】
図１３は、ノーズピース８０の別の代表的な一実施形態の側面図を示している。わかりやすいように、パッド８４は、仮想線で示されている。この実施形態では、パッドサポート部材８９は、下位パッドサポート部分８９ａと、上位パッドサポート部分８９ｂとを含むことができ、これらの部分は、間にパッド８４が位置決めされて保持されることを可能にするために、互いに間隔を空けられている。部分８９ａ、８９ｂは、それぞれ、突っ張り８２、８６の末端８２ａ、８６ａに取り付けられてそこから外方に伸びるものとして示されているが、部分８９ａ、８９ｂは、そこから外方に及び／又は内方に伸びることもできる。一部の実施形態では、部分８９ａ、８９ｂの末端は、互いに離れていることができる。パッドサポート部分８９ａ及び／又は８９ｂは、本明細書で更に説明されるパッドサポート部分８９と同様なやり方で、パッド８４に取り付けられてパッド８４を支える（例えば架かる及び／又は包み込む）ことができる。部分８９ａ及び／又は８９ｂは、突っ張り８２、８６に対するパッドサポート部材８９の位置決め及び機能について本明細書で説明されるように、突っ張り８２、８６に相対的に、様々な角度（例えば角度θ６）で伸びることができる。パッドサポート部分８９ａ、８９ｂは、本明細書で説明される溝８５、１８５を使用するなどその他の実施形態について本明細書で説明されたやり方を含む多くのやり方で、パッド８４に及び／又はパッド８４から取り付ける及び／又は取り外すことができる。一部の実施形態では、サポート部分８９ａ、８９ｂは、サポート部分８９ａ及
び／又は８９ｂを矢印５９０によって示される方向にパッド８４の通路８７内の随意の開口１８８に挿入する及びそこから取り外すことによって、パッド８４に取り付ける及びパッド８４から取り外すことができる。通路８７は、単なる例示目的として、パッド８４の幅全体にわたって伸びるものとして示されており、一部の実施形態では、パッド８４の外方の縁に開口１８８はなく、通路８７は、パッド８４の内方の縁からパッド８４内の途中まで伸びることができる。通路８７は、部分８９ａ及び／又は８９ｂを通路８７内に受け入れるための隙間１８７（図１０）を含むことができる。ただし、図１３では、単なる例示目的として、通路８７は、隙間１８７を有さないものとして示されている。
【００５０】
図１４は、ノーズピース８０の別の代表的な一実施形態の側面図を示している。わかりやすいように、パッド８４は、仮想線で示されている。この実施形態では、パッドサポート部材８９は、下位パッドサポート部分８９ｃと、上位パッドサポート部分８９ｄとを含むことができ、これらの部分は、間にパッド８４が位置決めされて保持されることを可能にするために、互いに間隔を空けられている。パッドサポート部分８９ｃ及び／又は８９ｄは、図１３に示されたパッドサポート部分８９ａ及び８９ｂと実質的に同様に機能することができる。部分８９ｃ及び８９ｄは、部分８９ｃ及び８９ｄの両端が末端８２ａ、８２ｂから内方及び外方の両方に伸びるように、突っ張り８２、８６の末端８２ａ、８６ｂが部分８９ｃ及び８９ｄの長さ（例えば両端の間）沿いにおいて取り付けられるという点で、異なることができる。
【００５１】
図１５は、リム４００などのフレーム１０の一部分にノーズピース８０が取り付けられて一体化された代表的な一実施形態の側面図を示している。ノーズピース８０は、パッドサポート部材８９と、パッド８４とを含むことができる。わかりやすいように、パッド８４は、仮想線で示されている。ノーズピース８０、パッドサポート部材８９、パッド８４、及びリム４００は、図６、７、及び１１〜１４に示された実施形態におけるノーズピース８０、パッドサポート部材８９、パッド８４、及びリム４０と実質的に同様であってよく、尚且つそれらと実質的に同様に機能することができる。リム４００は、互いに間隔を空けられた下位部分４０ａと上位部分４０ｂとを含むことができる。下位部分４０ａの上位端は、突っ張り８２（例えば基端８２ｃ）に取り付けることができる。上位部分４０ｂの下位端は、突っ張り８６（例えば基端８６ｃ）に取り付けることができる。パッドサポート部材８９は、突っ張り８２、８６の基端８２ｃ、８６との間にそれぞれ別途伸びる追加部材（例えばリム４００の追加部分）を必要とすることなく下位部分４０ａの上位端と上位部分４０ｂの下位端との間に位置決めすることができる。リム４００及びパッドサポート部材８９は、パッド８４を包み込んで支える一体的で且つ連続したスプラインを含むことができる。したがって、リム４００及びパッドサポート８９は、囲われたセル８３を有することなく尚且つ使用者の髪の毛やアクセサリ類などが引っ掛かる又は捕らわれる可能性があるいかなる突出、横材、突っ張り、又はその他の構造も有することなくパッド８４を支えることができる。
【００５２】
図１６は、リム４０に取り付けられてパッド８４を支えるパッドサポート１８１の一実施形態の部分断面図を示している。パッドサポート１８１は、突っ張り８２、８６によってリム４０に取り付けることができる。パッドサポート１８１、パッド８４、突っ張り８２、８６、及びリム４０は、図６、７、及び１１〜１４に示された実施形態において説明されたパッドサポート８１、パッド８４、突っ張り８２、８６、及びリム４０と構造的に同様であってよく、尚且つそれらと同様に機能することができる。パッドサポート１８１は、パッド８４の一部分の大部分を又は例示のように全部を包み込む又は取り巻くことができるループ、すなわち開口１９０を含むことができる。図１６は、単なる例示目的として、サポート部材１８９をおおよそ卵形のトロイダル形状として示しているが、サポート部材１８９は、パッド８４の一部分の大部分を又は全部を包み込む又は取り巻くことができる様々な形状の１つ以上の開口を有する任意の形状（例えば板状構造など）を含むこと
ができる。
【００５３】
図１７は、リム４０に取り付けられてパッド８４を支えるパッドサポート２８１の一実施形態の部分側面図を示している。パッドサポート２８１は、第１の側部をパッドサポート部材８９及び／又はパッド８４に取り付けられ、反対側の第２の側部をリム４０に取り付けられた、内方サポート構造２８２を含むことができる。パッドサポート２８１は、リム４０、パッド８４、及びパッドサポート部材２８９に取り付けることができる下位部分２８２ａと上位部分２８２ｂとを含むことができる。パッドサポート２８１、下位部分２８２ａ、上位部分２８２ｂ、及び内方サポート構造２８２は、本明細書で説明され図６、７、及び１１〜１６示されたパッドサポート、パッド、リム、及び突っ張りと実質的に同様であってよく、尚且つそれらと実質的に同様に機能することができる。１対の突っ張り８２、８６によって支えられる代わりに、パッドサポート２８１のパッドサポート部材８９は、内方サポート構造２８２によって支えることができる。
【００５４】
図１８は、本明細書の他所で説明されるようにノーズピース８０がレンズ５０の一部分に取り付けることができるフレーム１０の一実施形態の背面図である。
【００５５】
図１９は、パッド８４に取り付けられたノーズピース１８０の一実施形態の側面図である。パッド８４は、図９に示された溝１８５の機能と実質的に同様に、パッドサポート部材１８９を受け入れてパッド８４を保持する及び支えることができる凹み部分２８５を含むことができる。この実施形態では、凹み部分２８５及びサポート部材１８９の形状は、星、平和の象徴、イニシャル、ロゴなどの、使用者が望む様々な記号を表すように選択することができる。記号状に成形されたとき、サポート部材１８９及び凹み部分１８５は、パッド８４を支える機能及び使用者への美観的アピールの両方を提供することができる。
【００５６】
本明細書では、特定の好ましい実施形態及び実施例が論じられてきたが、当業者にならば、本発明が、具体的に開示されている実施形態の範囲を超えて、本発明のその他の代替の実施形態及び／又は用途並びにそれらの自明の変更形態及び等価形態にまで及ぶことが理解される。また、発明の数々のヴァリエーションが詳細に図示及び説明されてきたが、当業者にならば、本開示内容に基づいて、本発明の範囲内であるその他の変更形態が容易に明らかになる。また、実施形態の特定の特徴及び態様の様々な組み合わせ又は部分的組み合わせもなされてよく、それらもやはり、発明の範囲内に入ることができる。したがって、開示される実施形態の様々な特徴及び態様は、開示される発明の様々な態様を形成するために、互いに組み合わせ又は置き換えが可能であることを理解されるべきである。したがって、本明細書で開示される本発明の範囲は、上記に開示される特定の実施形態によって限定されるべきでなく、添付の特許請求の範囲を含む本開示内容を公正に読むことによってのみ決定されるべきである。
【図１】
0005562488.tif 000002
【図２】
0005562488.tif 000003
【図３】
0005562488.tif 000004
【図４】
0005562488.tif 000005
【図５】
0005562488.tif 000006
【図６】
0005562488.tif 000007
【図７】
0005562488.tif 000008
【図８】
0005562488.tif 000009
【図９】
0005562488.tif 000010
【図１０】
0005562488.tif 000011
【図１１】
0005562488.tif 000012
【図１２】
0005562488.tif 000013
【図１３】
0005562488.tif 000014
【図１４】
0005562488.tif 000015
【図１５】
0005562488.tif 000016
【図１６】
0005562488.tif 000017
【図１７】
0005562488.tif 000018
【図１８】
0005562488.tif 000019
【図１９】
0005562488.tif 000020